(57)【要約】【課題】２層以上の記録層を持つ光ディスクへの記録時に、バッファメモリ内の記録データが上書きされ、記録媒体への記録が不連続になるのを防止し、かつ過度の圧縮による入力信号の劣化を防ぐ。【解決手段】光ディスクへの情報の記録が可能な光ディスク記録装置において、記録時の記録不具合状況を履歴として持ち、前記履歴を用いて２層目以降の記録不具合領域を予測する。予測された記録不具合領域への記録時に、バッファメモリの空き容量が所定の範囲内に収まるように記録手段を制御する。【選択図】  図１
2009104743.tif 000002
【特許請求の範囲】
【請求項１】
少なくとも２層以上の記録層を持つ円盤状の記録媒体に記録を行う光ディスク記録装置において、
入力信号を一時的に格納するバッファメモリと、
前記バッファメモリから信号を読み出し記録媒体に記録する記録手段と、
前記バッファメモリの状態に応じて、前記記録手段を制御し間欠制御を行うシステム制御手段と、
第一の記録層における記録不具合を検出する記録不具合検出手段と、
前記記録不具合検出手段により検出された記録不具合を記憶する記録不具合履歴記憶手段と、
２層目以降の記録時に、前記記録不具合履歴記憶手段の不具合履歴から現在の記録層の記録不具合領域を予測する記録不具合領域予測手段とを備え、
前記システム制御手段は、前記記録不具合領域予測手段の結果を用いて、前記バッファメモリの空き容量が所定の範囲内に収まるように前記記録手段を制御することを特徴とする光ディスク記録装置。
【請求項２】
前記記録不具合予測領域への記録時に、所定のエラー処理を行うことを特徴とする請求項１記載の光ディスク記録装置。
【発明の詳細な説明】
【技術分野】
【０００１】
本発明は、映像や音声などのデジタル情報を、光ディスクに連続記録する光ディスク記録装置に関するものである。
【０００２】
本発明は、光ディスク記録装置に関し、より詳細には、２層以上の記録層を持つ光ディスクに対して連続記録する技術に関する。
【０００３】
本発明は、光ディスク記録装置に関し、より具体的には、例えば、ＤＶＤ−ＲのＤｕａｌ  Ｌａｙｅｒディスクに傷などを原因とする記録不具合領域が生じ、記録遅延が発生した場合の、バッファオーバーフローによる記録異常を抑制する間欠記録制御技術に関する。
【背景技術】
【０００４】
光ディスクに記録を行う場合、消費電力、耐衝撃の観点から、間欠記録を行うことが一般的である。しかし、傷などを原因とする記録不具合領域への記録により、記録遅延が発生した場合（以下、記録不可状態と称す）、バッファオーバーフローによる記録異常が発生する。
【０００５】
従来のバッファを用いた間欠記録制御では、記録不可状態において、符号化レートを下げることにより、バッファオーバーフローによる記録停止を抑制している。（例えば、特許文献１参照。）
図５は従来の光ディスク記録装置のブロック図である。図５において、符号化装置３００は、例えば、画像信号や音声信号に対して、ＭＰＥＧ２の符号化処理を行い光ディスクに記録する形態の信号に変換し、バッファメモリ３１０へ出力する。
【０００６】
記録制御手段３２０は、バッファメモリ３１０の状態に応じて、一定の時間間隔で記録手段３３０を制御する。
【０００７】
圧縮率選択手段３４０は、バッファメモリ３１０の状態に応じて、符号化装置３００の符号化レートを選択する。
【０００８】
記録手段３３０は、バッファメモリ３１０から記録信号を読み出し、光ディスク３６０に記録する。
【特許文献１】特開２０００−２５４４６０号公報
【発明の開示】
【発明が解決しようとする課題】
【０００９】
ディスク状の記録媒体に記録信号を記録する従来の光ディスク記録装置では、通常、符号化装置３００が符号化する符号化レートは一定で、記録手段３３０はそれらの記録信号を光ディスク３６０へ記録する。
【００１０】
しかし、記録不可状態において、符号化装置３００から出力された信号量が、光ディスク３６０へ記録するデータの緩衝作用を有するバッファメモリ３１０の容量を超える可能性があった。
【００１１】
この場合、バッファメモリ３１０内では、記録データの上書きが行われ、記録媒体に記録するデータは不連続な記録データになるなどして、光ディスク記録装置は記録異常を起こす。
【００１２】
また、バッファメモリ３１０の状態に応じて、圧縮率選択手段３４０を用いて、一時的に符号化装置３００による信号圧縮率を大きくすることで、符号化装置３００からの記録信号量を抑え、バッファメモリ３１０のオーバーフローの可能性を減少させることが可能であるが、入力信号が劣化するという問題が生じる。
【００１３】
したがって、本発明の目的は、複数の記録層を持つ光ディスクへの光ディスク記録装置に対して、記録不具合状況履歴を用いて記録不具合領域を予測し、記録遅延に耐えうるバッファの空き容量を確保するように間欠制御を行うことで、入力信号の劣化なく、バッファメモリのオーバーフローを防止して、記録異常を抑制することができる光ディスク記録装置を提供することである。
【課題を解決するための手段】
【００１４】
前記従来の課題を解決するために、本発明の光ディスク記録装置は、少なくとも２層以上の記録層を持つ円盤状の記録媒体に記録を行う光ディスク記録装置において、入力信号を一時的に格納するバッファメモリと、前記バッファメモリから信号を読み出し記録媒体に記録する記録手段と、前記バッファメモリの状態に応じて、前記記録手段を制御し間欠制御を行うシステム制御手段と、第一の記録層における記録不具合を検出する記録不具合検出手段と、前記記録不具合検出手段により検出された記録不具合を記憶する記録不具合履歴記憶手段と、２層目以降の記録時に、前記記録不具合履歴記憶手段の不具合履歴から現在の記録層の記録不具合領域を予測する記録不具合領域予測手段とを備え、前記システム制御手段は、前記記録不具合領域予測手段の結果を用いて、前記バッファメモリの空き容量が所定の範囲内に収まるように前記記録手段を制御することを特徴とするものである。
【００１５】
さらに、光ディスク記録装置において、前記記録不具合予測領域への記録時に、所定のエラー処理を行うことを特徴とするものである。
【発明の効果】
【００１６】
本発明の光ディスク記録装置によれば、記録不可状態を予測することで、予めバッファメモリの空き容量を所定量確保し、入力信号の劣化なく、バッファメモリのオーバーフローを防止して、記録異常を抑制することができる。
【発明を実施するための最良の形態】
【００１７】
以下に、本発明の光ディスク記録装置の実施の形態を図面とともに詳細に説明する。
【００１８】
（実施の形態１）
図１は、本発明の実施の形態における光ディスク記録装置のブロック図を示す。図１において、符号化手段１００は、例えば、画像信号や音声信号に対して、ＭＰＥＧ２の符号化処理を行い光ディスク１８０に記録する形態の信号に変換し、バッファメモリ１１０へ記録信号の書き込みを行う。
【００１９】
記録不具合検出手段１５０は、光ディスク１８０への記録不具合状況を検出し、記録不具合記憶手段１６０に記録する。記録不具合領域予測手段１７０は、２層目以降へ記録する場合に、記録不具合記憶手段１６０から記録不具合領域を予測する。記録不具合領域予測手段１７０の具体例を図２に示す。図２において、アドレス検出手段２１０は、光ディスク１８０への記録状況から、記録不可状態が発生した光ディスク１８０の物理アドレスＳ１を取得する。取得した物理アドレスＳ１は不具合領域管理手段２２０によって記録不具合領域として管理される。不具合領域予測手段２３０は不具合領域管理手段２２０によって管理されている記録不具合領域から、各記録層の記録不具合予測領域Ｓ２を予測する。記録不具合予測領域Ｓ２の予測方法としては、物理アドレスＳ１に該当する各記録層の論理アドレスを計算し、各記録層の記録不具合予測領域Ｓ２を決定する。但し、使用する光ディスクによって、物理アドレスと記録不具合予測領域Ｓ２に誤差が発生するため、一定のマージンをもって記録不具合予測領域Ｓ２を決定する（記録不具合予測領域Ｓ２を広範囲に予測する）ことが望ましい。
【００２０】
記録制御手段１２０は、バッファメモリ１１０の状態に応じて、一定の時間間隔で記録手段１３０を制御する。また、前記記録不具合予測領域への記録時に、バッファメモリ１１０の空き容量を所定量確保することができるように、記録手段１３０を制御する。
【００２１】
記録手段１３０は、バッファメモリ１１０から記録信号を読み出し、光ディスク１８０に記録する。
【００２２】
記録手段１３０の制御について、図３から図４のタイムチャートを用いて説明する。図３から図４のタイムチャートにおいて、Ｔ１はバッファメモリ書き込み開始閾値、Ｔ２はバッファメモリ読み出し開始閾値である。また、「バッファメモリ書き込み」と記載している区間は、バッファメモリへの書き込みを行う区間であり、「バッファメモリ読み出し」と記載している区間は、バッファメモリへの書き込みと読み出しの両方を行う区間（同時の意味）である。
【００２３】
図３にバッファメモリ残量の閾値により記録手段を制御するタイムチャートを示す。バッファメモリ１１０のデータ量が書き込み開始閾値Ｔ１を上回ると、バッファメモリ１１０のデータを書き込む。バッファメモリ１１０のデータ量が読み出し開始閾値Ｔ２を下回ると、バッファメモリ１１０のデータを書き込みつつ、データを読み出す。
【００２４】
図４に記録不具合領域予測により記録手段を制御するタイムチャートを示す。不具合領域予測手段２３０により予測された記録不具合予測領域への記録時に、バッファメモリ１１０の読み出しを開始することで、バッファメモリ１１０の空き領域を所定量確保することができる。
【００２５】
以上のように、実施の形態において、記録状況の履歴から、２層目以降の記録不可状態を予測し、予めバッファメモリの空き容量を所定量確保することで、入力信号の劣化なく、バッファメモリのオーバーフローを防止し、記録異常を抑制することができる。
【産業上の利用可能性】
【００２６】
本発明にかかる光ディスク記録装置は、入力信号の劣化なく、バッファメモリのオーバーフローを防止して、記録異常を抑制することができ、映像や音声などのデジタル情報を、光ディスクに連続記録する光ディスク記録装置として有用である。
【図面の簡単な説明】
【００２７】
【図１】本発明の実施の形態における光ディスク記録装置のブロック図
【図２】図１の記録不具合領域予測手段の一例を表すブロック図
【図３】バッファメモリ残量の閾値により記録手段を制御するタイムチャート
【図４】記録不具合領域予測により記録手段を制御するタイムチャート
【図５】従来の光ディスク記録装置のブロック図
【符号の説明】
【００２８】
１００、３００  符号化手段
１１０、３１０  バッファメモリ
１２０、３２０  記録制御手段
１３０、３３０  記録手段
１４０  システム制御手段
１５０  記録不具合検出手段
１６０  記録不具合記憶手段
１７０  記録不具合領域予測手段
３４０  圧縮率選択手段
３５０  ホストコントローラ
１８０、３６０  光ディスク
２１０  アドレス検出手段
２２０  不具合領域管理手段
２３０  不具合領域予測手段
【図１】
2009104743.tif 000003
【図２】
2009104743.tif 000004
【図３】
2009104743.tif 000005
【図４】
2009104743.tif 000006
【図５】
2009104743.tif 000007